(57)【要約】【課題】便器の縁裏のような狭い所や窪んだ所等に付着した汚れを除去することができ、清掃性能に優れた清掃用手袋を提供すること。【解決手段】清掃用手袋１は、先端２ａが閉じられ、後端２ｂから該先端２ａに向けて使用者の手を挿入可能な手袋本体２と、該手袋本体２の先端２ａ側（指挿入部２Ａ）の外面上に配され、清掃対象部の汚れをかき取る清掃シート３とを具備する。手袋本体２と清掃シート３とが、該手袋本体２における使用者の手の挿入方向Ｘに沿った側縁２Ｓ，２Ｓで互いに接合されている。清掃シート３が、手袋本体２の挿入方向Ｘに沿った側縁２Ｓから外方に延出し且つ硬化処理が施されている延出部３３を有している。【選択図】図１
2010046402.tif 000002
【特許請求の範囲】
【請求項１】
先端が閉じられ、後端から該先端に向けて使用者の手を挿入可能な手袋本体と、該手袋本体の先端側の外面上に配され、清掃対象部の汚れをかき取る清掃シートとを具備する清掃用手袋であって、
前記手袋本体と前記清掃シートとが、該手袋本体における使用者の手の挿入方向に沿った側縁で互いに接合されており、
前記清掃シートが、前記手袋本体の前記挿入方向に沿った側縁から外方に延出し且つ硬化処理が施されている延出部を有している清掃用手袋。
【請求項２】
前記手袋本体の先端が、平面視して前記挿入方向と直交する方向に延びる直線状であり、
前記清掃シートが、矩形形状のシート材を２つ折りし且つその折り線と直交する両側縁において対向する該シート材どうしを接合してなる袋体からなり、且つ該折り線を前記手袋本体の先端と一致させて、該手袋本体の先端側を覆っている請求項１記載の清掃用手袋。
【請求項３】
前記手袋本体及び前記清掃シートが、使用者の指を個別に挿入可能になされている請求項１又は２記載の清掃用手袋。
【請求項４】
前記清掃シートにおける前記手袋本体の後端寄りに位置する後端から該清掃シートの内方に亘る所定領域において、該手袋本体と該手袋本体の外面上に配された該清掃シートとの間が接合されておらず、これらの間に隙間が形成されている請求項１〜３の何れかに記載の清掃用手袋。
【請求項５】
前記清掃シートが前記手袋本体よりも硬い請求項１〜４の何れかに記載の清掃用手袋。
【請求項６】
前記手袋本体の先端が、硬化処理が施されていない前記清掃シートで覆われている請求項１〜５の何れかに記載の清掃用手袋。
【請求項７】
前記手袋本体が、使用時に使用者の手のひら側を被覆する第１の面及び該第１の面と反対側に位置し且つ使用時に使用者の手の甲側を被覆する第２の面を有しており、
前記手袋本体における前記清掃シートが配されている部位の前記挿入方向と直交する方向の中央部に、相対向する前記第１の面と前記第２の面とが互いに接合されてなる封止部が形成されており、
前記封止部の平面視における形状が、前記挿入方向に延びる直線状又は円形状である請求項１〜６の何れかに記載の清掃用手袋。
【発明の詳細な説明】
【技術分野】
【０００１】
本発明は、便器、洗面台、浴槽等の付着便、黒ずみ、黄ばみや水垢のような、硬質表面に付着した汚れの除去に好適な清掃用手袋に関する。
【背景技術】
【０００２】
便器、洗面台、浴槽等を清掃する場合、ゴム手袋を着用し、ブラシやたわし等で汚れを掻き取るのが一般的である。しかし、斯かる場合には、種々の清掃用具が必要であり、清掃作業はこれらの用具を清掃箇所に対応して持ち替えながら行うことになるため面倒であり、且つ非効率的であった。そこで、清掃作業の省力、効率化等の観点から、ゴム製あるいはプラスチック製の手袋自体に洗浄機能を付与した清掃用手袋が提案されている。
【０００３】
このような清掃用手袋として、例えば特許文献１〜６には、手袋の手のひらや手の甲の部分に不織布やスポンジ等の研磨性のある洗浄素材を貼り付けて一体化させた清掃用手袋が記載されている。また特許文献７には、使用者の手が直接挿入される手袋の中に清掃具として機能する手袋を封入した清掃用手袋が記載されている。また特許文献８には、布等の摩擦性のある素材を手袋状に成形した清掃用手袋が記載されている。
【０００４】
しかし、従来の清掃用手袋は、例えば便器の縁裏のような、たわしやブラシでは磨きにくい所（狭い所、窪んだ所等）に付着した汚れを除去し難く、清掃性能の点で改良の余地があった。
【０００５】
【特許文献１】実開昭６０−３３９４３号公報
【特許文献２】登録実用新案第３０３９２３９号公報
【特許文献３】登録実用新案第３０４２４４９号公報
【特許文献４】登録実用新案第３０６７０７０号公報
【特許文献５】登録実用新案第３０６５０９２号公報
【特許文献６】登録実用新案第３１３８０１１号公報
【特許文献７】実開平２−１３４９６２号公報
【特許文献８】実開平６−４６６６０号公報
【発明の開示】
【発明が解決しようとする課題】
【０００６】
従って本発明の目的は、便器の縁裏のような狭い所や窪んだ所等に付着した汚れを除去することができ、清掃性能に優れた清掃用手袋を提供することにある。
【課題を解決するための手段】
【０００７】
本発明は、先端が閉じられ、後端から該先端に向けて使用者の手を挿入可能な手袋本体と、該手袋本体の先端側の外面上に配され、清掃対象部の汚れをかき取る清掃シートとを具備する清掃用手袋であって、前記手袋本体と前記清掃シートとが、該手袋本体における使用者の手の挿入方向に沿った側縁で互いに接合されており、前記清掃シートが、前記手袋本体の前記挿入方向に沿った側縁から外方に延出し且つ硬化処理が施されている延出部を有している清掃用手袋を提供することにより、前記目的を達成したものである。
【発明の効果】
【０００８】
本発明の清掃用手袋は、トイレ、洗面所、浴室、台所等の清掃作業を効率良く衛生的に行うことができ、且つ便器の縁裏のような狭い所や窪んだ所等に付着した汚れを除去することができ、清掃効果が高い。
【発明を実施するための最良の形態】
【０００９】
以下、本発明の清掃用手袋を、その好ましい実施形態に基づき図面を参照して説明する。図１には、本発明の第１実施形態としての清掃用手袋の平面図が示されている。図２は、図１の要部（指挿入部）の拡大図、図３は、図１に示す清掃用手袋の使用方法の説明図である。第１実施形態の清掃用手袋１は、先端２ａが閉じられ、後端２ｂから該先端２ａに向けて使用者の手を挿入可能な手袋本体２と、該手袋本体２の先端２ａ側の外面〔使用時に使用者の手と当接する面（内面）と反対側に位置する面〕上に配され、便器、洗面台、浴槽、台所等の清掃対象部の汚れをかき取る清掃シート３とを具備している。
【００１０】
手袋本体２は、使用時に使用者の指が挿入される指挿入部２Ａと、使用者の腕が挿入される腕挿入部２Ｂとを一体に有している。指挿入部２Ａは、図２に示すように平面視して四角形形状をしている。指挿入部２Ａに位置する手袋本体２の先端２ａは、平面視して挿入方向Ｘと直交する方向に延びる直線状となっている。第１実施形態における指挿入部２Ａは、その内部が複数に区分されておらず、使用者の指が一体的に挿入されるようになされており、後述する第５実施形態のように使用者の指が個別に挿入されるようになされていない。
【００１１】
手袋本体２は、略偏平なものであり、複数のシート材（第１実施形態では２枚のシート材）を貼り合わせて、使用者の手を挿入可能な隙間が形成されたものである。手袋本体２を構成する複数のシート材は、該手袋本体２の後端２ｂを除く周縁部において熱融着や接着等の接合手段によって互いに接合されている。腕挿入部２Ｂに位置する手袋本体２の後端２ｂにおいては、手袋本体２を構成する複数のシート材が互いに接合されておらず、該後端２ｂは、使用時に使用者の手が挿入される開口端となっている。扁平な形状を有する手袋本体２は、使用時に使用者の手のひら側を被覆する第１の面２１及び該第１の面２１と反対側に位置し且つ使用時に使用者の手の甲側を被覆する第２の面２２を有している。
【００１２】
清掃シート３は、硬質表面に付着した汚れをかき取ることが可能な硬質材料からなる。清掃シート３は、手袋本体２の先端２ａ側、即ち指挿入部２Ａの第１の面２１及び第２の面２２それぞれの外面上に配されている。
【００１３】
第１実施形態における清掃シート３は、矩形形状のシート材を２つ折りし且つその折り線３ａと直交する両側縁３Ｓ，３Ｓにおいて対向する該シート材どうしを熱融着や接着等の接合手段によって接合してなる矩形形状の袋体からなり、且つ該折り線３ａを手袋本体２の先端２ａと一致させて、該手袋本体２の先端２ａ側（指挿入部２Ａ）を覆っている。清掃シート３の折り線３ａは、清掃シート３（清掃用手袋１）の先端を形成している。尚、ここでいう、先端２ａと折り線３ａとが一致している状態は、先端２ａと折り線３ａとが当接している場合のみならず、両者がある程度離間している場合を含み、清掃用手袋１を図１に示す如く広げて偏平にした状態において、先端２ａの外面と折り線３ａの内面との間の最短距離が概ね２０ｍｍ以内の場合を含む。
【００１４】
袋体からなる清掃シート３は、略偏平なものであり、手袋本体２の第１の面２１を被覆する第１の面３１及び該第１の面３１と反対側に位置し且つ手袋本体２の第２の面２２を被覆する第２の面３２を有している。袋体からなる清掃シート３は、上述したようにその折り線３ａが手袋本体２の直線状の先端２ａに一致するように該手袋本体２の指挿入部２Ａに被せられ、該指挿入部２Ａの両面を被覆している。
【００１５】
第１実施形態においては上述したように手袋本体２の両面（第１の面２１及び第２の面２２）に清掃シート３が配されているが、片面（第１の面２１又は第２の面２２）に清掃シート３を配することもできる。但し、第１実施形態のように手袋本体２の両面に清掃シート３が配されていると、１）清掃対象部が狭い隙間などの場合には、該隙間に清掃用手袋を装着した手を挿入して擦るだけで、手の向きを変えなくても、該隙間に存している汚れを一度で落とせる、２）清掃対象部が便器の縁裏など、手の向きを容易に変えられないような場所である場合には、手の甲側に配された清掃シートを使って汚れを除去することで、清掃用手袋の向きを持ちかえなくても掃除できる、などの利点がある。
【００１６】
手袋本体２と清掃シート３とは、図２に示すように、該手袋本体２における使用者の手の挿入方向（指の挿入方向）Ｘに沿った側縁２Ｓ，２Ｓで互いに接合され、接合部４０を形成している。手袋本体２と清掃シート３との接合部４０は、上述した袋体からなる清掃シート３の側縁３Ｓを構成する相対向するシート材間に手袋本体２の側縁２Ｓが挟持された状態で、熱融着や接着等の接合手段によってこれらが接合一体化されることにより形成されている。接合部４０は、手袋本体２の一側縁２Ｓの全体に亘って形成されていても良く、図２に示すように一側縁２Ｓの一部に形成されていていても良い。
【００１７】
第１実施形態においては、清掃シート３における手袋本体２の後端２ｂ寄りに位置する後端３ｂから該清掃シート３の内方に亘る所定領域において、手袋本体２と該手袋本体２の外面上に配された清掃シート３との間が接合されておらず、これら２，３の間に隙間（図示せず）が形成されている。より具体的には、手袋本体２と清掃シート３とは、上述したように手袋本体２の側縁２Ｓ，２Ｓでのみ接合されており、該側縁２Ｓ，２Ｓを除く他の部位では接合されておらず、従って前記所定領域（手袋本体２と清掃シート３とが接合されていない非接合領域）は、手袋本体２の両面それぞれにおいて、両側縁２Ｓ，２Ｓの間で且つ清掃シート３の後端３ｂから該清掃シート３の先端（折り線）３ａに亘って存している。前記隙間には、清掃シート３の後端３ｂから使用者の手を挿入可能である。清掃用手袋１にこのような隙間が形成されていることにより、例えば該隙間に予め水や洗剤等の清掃用助剤を含ませておき、使用時に該隙間から清掃シート３の外面上に該清掃用助剤を徐々に染み出させるようにすることもでき、斯かる使用形態により清掃対象部の汚れ除去効果を一層高めることが可能となる。
【００１８】
手袋本体２と清掃シート３との間に前記隙間を形成し易くする観点から、清掃シート３は手袋本体２よりも硬いことが好ましい。またこのように、清掃用手袋１の先端側（指挿入部２Ａ）において外層を構成する清掃シート３が相対的に硬く、内層を構成する手袋本体２が相対的に柔らかいと、清掃用手袋１の清掃時の操作性が向上するという利点もある。手袋本体２及び清掃シート３の硬さは、形成材料や厚み等によって調整することができる。
【００１９】
手袋本体２及び清掃シート３の硬さは、各部の剛性で表すことができる。手袋本体２のＪＩＳ−Ｌ１０１８で規定する４５°カンチレバー法に準拠した方法によって測定される剛性は、好ましくは１〜４０、更に好ましくは１〜３０であり、清掃シート３の該剛性は、好ましくは５０〜１１０、更に好ましくは６０〜１００である。尚、前記４５°カンチレバー法に準拠した方法における試験片は１ｃｍ×約１５ｃｍとする。
【００２０】
清掃シート３は、手袋本体２の挿入方向Ｘに沿った側縁２Ｓから外方に延出し且つ硬化処理が施されている延出部３３を有している。第１実施形態においては図２に示すように延出部３３は、清掃シート３の側縁３Ｓを含んで構成されている。延出部３３は、清掃シート３の所定部位（手袋本体２の側縁２Ｓから外方に延出した部位）に人為的な処理が施されることによって、該所定部位の硬度（剛性）が該処理前に比して高められた部位である。このように比較的硬い延出部３３が手袋本体２の側縁２Ｓよりも外方に形成されていることにより、例えば便器の縁裏のような狭い所や窪んだ所等に付着した汚れを該延出部３３で容易に掻き取り除去することが可能となり、清掃性能に優れた清掃用手袋が得られる。延出部３３の幅（挿入方向Ｘと直交する方向の長さ）Ｗ１は、好ましくは３〜１５ｍｍ、更に好ましくは３〜１０ｍｍである。
【００２１】
延出部３３の形成に利用される前記硬化処理としては、清掃シート３の硬度を高めることができる処理であれば良く、清掃シート３の材質等に応じて適宜選択することができる。例えば清掃シート３が後述するような合成繊維を含むシート材である場合、前記硬化処理としては、例えば熱融着（ヒートシール）、接着剤の塗布等が挙げられる。これらの中でも特に熱融着（ヒートシール）が、作業の簡便性、及び手袋本体２と清掃シート３との接合を硬化処理と同時に実施できる点から好ましい。
【００２２】
第１実施形態においては、手袋本体２の先端２ａは前記硬化処理が施されていない清掃シート３で覆われている。即ち、清掃シート３における手袋本体２の先端２ａを被覆している部位は、上述した清掃シート３の折り線３ａ及びその近傍であり、その硬度（剛性）は清掃シート３が本来有しているものから実質的に変化していない。手袋本体２の先端２ａは、使用時に使用者の指先と当接する部位であり、該先端２ａが熱融着等の硬化処理が施されていない清掃シート３で覆われていることにより、該先端２ａが該硬化処理が施されている清掃シート３で覆われている場合に比して、便器の縁裏のような狭い所や窪んだ所の形状に清掃シート３の先端部が追従して変形し、該形状に沿いやすいため汚れをかきとりやすく、汚れ除去効果が高まる。
【００２３】
手袋本体２の挿入方向Ｘに沿った長さＬ１は、清掃用手袋１の清掃用途等に応じて適宜設定することができる。長さＬ１が一定以上、好ましくは２０〜５０ｃｍであると、清掃用手袋１を、いわゆる封水が常に残っている便器の排水口や台所、浴槽の排水口等の清掃に使用しても、手や衣服を汚すおそれが少ない。また、清掃シート３の挿入方向Ｘに沿った長さ（最大長さ）Ｌ２も、清掃用手袋１の清掃用途等に応じて適宜設定することができる。通常、長さＬ２は、使用時に清掃シート３が使用者の指全体を覆うように設定される。
【００２４】
以上の構成を有する第１実施形態の清掃用手袋１は、手袋本体２の後端２ｂ（開口端）から手を挿入し、図３のように手に装着して使用される。第１実施形態の清掃用手袋１は、右手及び左手のどちらでも装着可能である。清掃用手袋１は、便器、洗面台、浴槽、キッチン周り、食器等の硬質表面の清掃に好適であり、清掃対象部を清掃シート３で擦ることにより、該清掃対象部にこびりついた黄ばみや水垢等の汚れを除去することができる。また、清掃用手袋１の挿入方向１に沿った側縁に、硬化処理が施された延出部３３が形成されていることにより、従来の清掃用具では除去し難かった、便器の縁裏のような狭い所や窪んだ所等に付着した汚れを、硬い延出部３３で掻きとって除去することができ、清掃効果が高い。必要に応じ、清掃シート３に洗剤を付与してから使用することもでき、その場合、手袋本体２と清掃シート３との間に上述した隙間が形成されている場合には、該隙間に洗剤を入れて使用することもできる。使用後は、手を汚さずに清掃用手袋１を廃棄することができる。
【００２５】
次に、第１実施形態の清掃用手袋１を構成する部材の詳細について説明すると、手袋本体２を構成するシート材としては、柔軟性（可撓性）及び撥水性を有するものが用いられ、例えばポリエチレン、ポリプロピレン、ポリウレタン、シリコン、天然ゴムラテックス、ニトリルゴム、塩化ビニル樹脂等が挙げられる。
【００２６】
清掃シート３としては、例えば不織布やスポンジ等の研磨性のある洗浄素材が用いられる。清掃シート３として特に好ましいものの一例として、手袋本体２上に配される液保持層と、該液保持層上に配される研磨層とを有する清掃シートが挙げられる。このような２層構造の清掃シートを用いると、高い清掃効果が得られると共に、使用時の感触及び拭き心地の点でも良好な結果が得られる。以下、この２層構造の清掃シートについて説明する。
【００２７】
前記液保持層は、手袋本体２の外面上に配される層であり、清掃時に使用される洗剤や擦り取られた汚れを含む汚液等を保持する層として機能する。液保持層としては、パルプ繊維や合成繊維等の繊維を主体とする繊維集合体を用いることができる。液保持層におけるパルプ等のセルロース系繊維の含有量は、該液保持層の全質量に対して、好ましくは５０質量％以上、更に好ましくは６０質量％以上である。
【００２８】
前記セルロース系繊維としては、例えば針葉樹や広葉樹等の木材を原料とする木材パルプ；麻、竹、藁、ケナフ、楮、三椏、木綿等の非木材パルプ；カチオン化パルプ、マーセル化パルプ等の変性パルプ；レーヨン等の再生繊維等が挙げられ、これらの１種又は２種以上を混合して用いることができる。また、前記合成繊維としては、例えばポリエチレン、ポリプロピレン、ポリブチレン等のポリオレフィン系；ポリエチレンテレフタレート、ポリブチレンテレフタレート等のポリエステル系材料；ナイロン６、ナイロン６６等のポリアミド系材料；ポリアクリルニトリル系材料；レーヨン；各種ゴム等からなる繊維が挙げられ、これらの１種又は２種以上を混合して用いることができる。前記合成繊維は、１種の成分からなるものでも良く、例えば芯鞘型複合繊維のように２種以上の成分が融合せずに独立して存在しているものでも良い。また、前記液保持層を構成する繊維（パルプ繊維、合成繊維）の繊度は、好ましくは０．５〜５ｄｔｅｘ、更に好ましくは０．５〜３ｄｔｅｘである。
【００２９】
前記液保持層の坪量は、好ましくは２０〜８０ｇ／ｍ2、更に好ましくは３０〜８０ｇ／ｍ2である。
【００３０】
前記研磨層は、前記液保持層上に積層され清掃用手袋１の外面を構成する層であり、清掃対象部の汚れを掻き取る層として機能する。研磨層としては、例えば不織布、スポンジ、サンドペーパー等を用いることができる。これらの中でも特に合成繊維から構成された不織布が好ましく用いられる。合成繊維としては、上述した液保持層で用いられるものと同様のものを用いることができる。不織布（研磨層）における合成繊維の含有量は、該研磨層の全質量に対して、好ましくは６０質量％以上、更に好ましくは８０質量％以上である。
【００３１】
前記研磨層を構成する不織布においては、１）その構成繊維（合成繊維）の繊維間が絡合しているか、又は２）バインダー又は熱融着により結合していることが、汚れの掻き取り性能や研磨層の強度等の点から好ましい。前記１）の構成繊維の繊維間が絡合している不織布は、例えば公知の水流交絡法によって製造することができる。水流交絡法では、繊維をカード機により解繊した後、解繊したウエブにジェット水流を当て、繊維を絡合させて不織布を製造する。
【００３２】
また、前記２）の構成繊維の繊維間がバインダー又は熱融着により結合している不織布は、例えば公知のケミカルボンド法、ヒートボンド法等により製造することができる。ケミカルボンド法では、例えば、繊維をカード機により解繊した後、解繊したウエブにバインダーを、スプレー法、コーティング法、デッピング法等により添加し、その後の乾燥工程により固化して不織布を製造する。バインダーの添加量は一般的に繊維重量に対して１割〜２割程度である。バインダーとしては、メラミン樹脂、アクリル樹脂、ウレタン樹脂、シリコーン樹脂、フッ素樹脂等の高分子有機材料の他、水ガラスもしくは水ガラスを含有した材料等が用いられる。更にこれらのバインダーには、その性質を損なわない範囲で抗酸化剤、紫外線吸収剤、蛍光増白剤、着色剤、帯電防止剤、界面活性剤、分散剤等の添加剤を任意で配合してもよい。ヒートボンド法では、例えば、熱可塑性樹脂からなる繊維を用い、カード機により解繊した後、解繊したウエブを乾燥工程により熱融解させて結合し不織布を製造する。
【００３３】
前記研磨層の坪量は、好ましくは２０〜１００ｇ／ｍ2、更に好ましくは４０〜８０ｇ／ｍ2である。
【００３４】
前記液保持層と前記研磨層とは、熱融着や接着等の接合手段によって接合され一体化されている。このような液保持層と研磨層とを有する２層構造の清掃シートとしては、例えば本出願人の先の出願に係る特開２００３−６１８８５号公報に記載の清掃用シートを用いることもできる。該清掃用シートは、セルロース系繊維を含み且つエアレイ法によって形成されたウエブの片面に、太径熱可塑性繊維と細径熱可塑性繊維を含み且つエアレイ法によって形成されたウエブを積層し、各ウエブの構成繊維同士の交点及び両ウエブ間を融着又はバインダーにより接着させてなるものである。
【００３５】
前記清掃用シートにおいては、汚れ除去効果を高める観点から、上述した製造工程において各ウエブの構成繊維同士の交点及び両ウエブ間をバインダーにより接着させる場合に、該バインダーを液保持層側からのみ塗布して該清掃用シートを製造することが好ましい。このようにすることで、研磨層側の構成繊維がその長さ方向を該層の厚み方向に略一致させて配向し、その結果清掃対象面に対して該構成繊維が垂直方向に立つので、便器、洗面台、浴槽等の付着便、黒ずみ、黄ばみ、水垢のような、硬質表面に付着した汚れを該構成繊維によって容易にかき取ることができ、汚れ除去効果が高まる。
【００３６】
以下、本発明の他の実施形態について説明する。後述する他の実施形態については、上述した第１実施形態の清掃用手袋１と異なる構成部分を主として説明し、同様の構成部分は同一の符号を付して説明を省略する。特に説明しない構成部分は、第１実施形態の清掃用手袋１についての説明が適宜適用される。
【００３７】
図４は、本発明の第２実施形態の平面図、図５は、本発明の第３実施形態の平面図である。第２及び第３実施形態の清掃用手袋１は、手袋本体２を構成する第１の面２１と第２の面２２とが該手袋本体２の周縁部以外の部位において互いに接合されている点以外は、第１実施形態と同様に構成されている。
【００３８】
第２実施形態の清掃用手袋１においては、図４に示すように、手袋本体２における清掃シート３が配されている部位（指挿入部２Ａ）の挿入方向Ｘと直交する方向の中央部に、相対向する第１の面２１と第２の面２２とが互いに接合されてなる封止部２３が形成されており、封止部２３の平面視における形状が、挿入方向Ｘに延びる直線状である。直線状の封止部２３は、手袋本体２の直線状の先端２ａの略中央から清掃シート３の挿入方向Ｘの略中央まで達しており、一定の幅を有している。封止部２３は、手袋本体２の外面上に清掃シート３が配された状態で、該清掃シート３の先端３ａの略中央から該清掃シート３の挿入方向Ｘの略中央に亘る所定幅の領域をエンボス加工等により熱融着（ヒートシール）することにより形成されており、封止部２３においては、清掃用手袋１の全構成部材（手袋本体２及び清掃シート３）が一体化されている。
【００３９】
上述の如き構成を有する第２実施形態によっても、第１実施形態と同様の効果が奏される。特に第２実施形態においては、手袋本体２における指挿入部２Ａの挿入方向Ｘと直交する方向の中央部において該手袋本体２を構成するシート材どうしが互いに接合されて封止部２３が形成されていることにより、清掃用手袋１の使用時において手袋本体２の内部に挿入されている使用者の指の動きが封止部２３の存在によって制限され、指の固定性が高まるため、汚れを擦るときに指に力が入り易くなり、清掃時の作業性及び清掃効果が一層高まる。このような封止部２３の形成は、本実施形態の手袋本体２のように、手袋本体の内部が複数に区分されておらず、使用者の指を個別に挿入可能になされていない（使用者の指が一体的に挿入されるようになされている）場合に特に有効である。
【００４０】
直線状の封止部２３の挿入方向Ｘに沿った長さ（封止部２３の長手方向の長さ）Ｌ３は、好ましくは５〜６５ｍｍである。また、直線状の封止部２３における清掃シート３の後端３ｂ寄りの後端は、手袋本体２の先端２ａから２５〜７０ｍｍ離間した位置にあることが好ましい。また、直線状の封止部２３の挿入方向Ｘと直交する方向に沿った長さ（幅）Ｗ２は、好ましくは３〜１５ｍｍである。
【００４１】
第３実施形態の清掃用手袋１においては、図５に示すように、手袋本体２における清掃シート３が配されている部位（指挿入部２Ａ）の挿入方向Ｘと直交する方向の中央部に、相対向する第１の面２１と第２の面２２とが互いに接合されてなる封止部２４が形成されており、封止部２４の平面視における形状が、円形状（ドット状）である。第３実施形態は、封止部２４の平面視における形状が異なる点以外は、第２実施形態と同様に構成されており、第２実施形態と同様の効果を奏する。円形状の封止部２４の直径は、好ましくは５〜２０ｍｍである。
【００４２】
図６は、本発明の第４実施形態の平面図である。第４実施形態の清掃用手袋１は、手袋本体２の先端２ａ側（指挿入部２Ａ）に、使用者の親指が個別に挿入される親指挿入部２５が形成されている点以外は、第１実施形態と同様に構成されている。尚、図６に示す清掃用手袋１は左手用であるが、右手用もこれと同様に構成される。
【００４３】
上述の如き構成を有する第４実施形態によっても、第１実施形態と同様の効果が奏される。特に第４実施形態においては、親指挿入部２５が形成されていることにより、清掃用手袋１の使用時に親指を動かすことが可能となるため、清掃時の作業性及び清掃効果が一層高まる。
【００４４】
図７は、本発明の第５実施形態の平面図である。第５実施形態の清掃用手袋１は、手袋本体２及び清掃シート３が、何れも使用者の指が個別に挿入される指挿入部を有しており、これにより使用者の指を個別に挿入可能になされている点で第４実施形態と異なる。即ち、第５実施形態においては、手袋本体２（指挿入部２Ａ）が、使用者の親指が挿入される親指挿入部２５、使用者の人差し指が挿入される人差し指挿入部２６、使用者の中指が挿入される中指挿入部２７、使用者の薬指が挿入される薬指挿入部２８、及び使用者の小指が挿入される小指挿入部２９を有し、清掃シート３が、これら各指挿入部のうちの少なくとも一部（第５実施形態では親指挿入部２５を除く他の指挿入部２６〜２９）の全体を個別に覆うように配されている。手袋本体２と清掃シート３とは、人差し指挿入部２６、中指挿入部２７、薬指挿入部２８及び小指挿入部２９それぞれの各側縁２Ｓで互いに接合されている。各指挿入部２６〜２９の各側縁２Ｓには、前記硬化処理が施されている清掃シート３の延出部３３が形成されている。一方、各指挿入部２６〜２９の各先端２ａは、前記硬化処理が施されていない清掃シート３で覆われている。清掃シート３の後端３ｂは、挿入方向Ｘと直交する方向に延びる直線状となっている。尚、図７に示す清掃用手袋１は左手用であるが、右手用もこれと同様に構成される。
【００４５】
上述の如き構成を有する第５実施形態によっても、第１実施形態と同様の効果が奏される。特に第５実施形態においては、手袋本体２が使用者の各指を個別に挿入可能になされていることにより、使用時における指の固定性が高く、汚れを擦るときに指に力が入り易く、清掃時の作業性及び清掃効果が高い。
【００４６】
以上、本発明をその好ましい実施形態に基づき説明したが、本発明は前記実施形態に制限されず、前述した一の実施形態のみが有する部分は、すべて適宜相互に利用できる。例えば第２実施形態においては、直線状の封止部２３は挿入方向Ｘ（手袋本体２の長手方向）に対して略平行に延びていたが、該封止部２３は挿入方向に延びていれば良く、該封止部２３と挿入方向Ｘとのなす角度が４５°未満であれば良い。また第２実施形態において、挿入方向Ｘに延びる直線状の封止部２３を、該挿入方向Ｘと直交する方向に所定間隔を置いて多列に配することにより、手袋本体２及び清掃シート３を、使用者の指を個別に挿入可能にすることもできる。
【００４７】
また第３実施形態においては、円形状（ドット状）の封止部２４が１つ形成されていたが、該封止部２４を複数形成しても良く、その場合、複数の円形状の封止部２４を挿入方向Ｘに所定間隔を置いて配置することができる。また第３実施形態において、このような挿入方向Ｘに延びる複数の封止部２４の列を、該挿入方向Ｘと直交する方向に所定間隔を置いて多列に配することにより、手袋本体２及び清掃シート３を、使用者の指を個別に挿入可能にすることもできる。
【００４８】
また第４実施形態において、手袋本体２における清掃シート３が配されている部位の挿入方向Ｘと直交する方向の中央部に、相対向する第１の面２１と第２の面２２とが互いに接合された封止部を形成しても良い。
【００４９】
また第５実施形態においては、清掃シート３が、親指挿入部２５を除く他の指挿入部２６〜２９の全体を個別に覆うように配されていたが、指挿入部２６〜２９に加えて親指挿入部２５の全体も個別に覆うように配されていても良い。
【図面の簡単な説明】
【００５０】
【図１】図１は、本発明の第１実施形態の清掃用手袋を模式的に示した平面図である。
【図２】図２は、図１の要部（指挿入部）を模式的に示した拡大平面図である。
【図３】図３は、図１に示す清掃用手袋の使用方法の説明図である。
【図４】図４は、本発明の第２実施形態の清掃用手袋を模式的に示した平面図である。
【図５】図５は、本発明の第３実施形態の清掃用手袋を模式的に示した平面図である。
【図６】図６は、本発明の第４実施形態の清掃用手袋を模式的に示した平面図である。
【図７】図７は、本発明の第５実施形態の清掃用手袋を模式的に示した平面図である。
【符号の説明】
【００５１】
１  清掃用手袋
２  手袋本体
２Ａ  指挿入部
２Ｂ  腕挿入部
２ａ  手袋本体の先端
２ｂ  手袋本体の後端
２ｓ  手袋本体の側縁
３  清掃シート
３ａ  清掃シートの先端（折り線）
３ｂ  清掃シートの後端
３ｓ  清掃シートの側縁
２３，２４  封止部
２５〜２９  指挿入部
３３  延出部
４０  接合部
Ｘ  使用者の手（指）の挿入方向
【図１】
2010046402.tif 000003
【図２】
2010046402.tif 000004
【図３】
2010046402.tif 000005
【図４】
2010046402.tif 000006
【図５】
2010046402.tif 000007
【図６】
2010046402.tif 000008
【図７】
2010046402.tif 000009